(57)【要約】【課題】下位レイヤによるプロテクション機能を有するＩＰネットワークにおいて、ＩＰレイヤで規定した下位レイヤプロテクション性能を測定する。【解決手段】本発明の下位レイヤプロテクション性能測定方法は、下位レイヤによるプロテクション機能を有するＩＰネットワークを対象とし、ＩＰネットワークにおけるパケット損失の生じない最小のパケット送信間隔を見いだすステップと、この送信間隔でＩＰネットワークに測定パケットを送信しつつ、下位レイヤでのプロテクションのトリガを与えることにより、当該ネットワークにプロテクションを生じさせ、このプロテクションの前後における測定パケットの受信状態の変化を測定するステップとを有する。【選択図】　　　　図３
2004064643.tif 000002
【特許請求の範囲】
【請求項１】
下位レイヤによるプロテクション機能を有するＩＰネットワークを対象とし、下位レイヤでのプロテクション性能を測定する方法において、
前記ＩＰネットワークにおけるパケット損失の生じない最小のパケット送信間隔を見いだすステップと、
この送信間隔で前記ＩＰネットワークに測定パケットを送信しつつ、下位レイヤでのプロテクションのトリガを与えることにより、当該ネットワークにプロテクションを生じさせ、このプロテクションの前後における前記測定パケットの受信状態の変化を測定するステップと
を有することを特徴とする下位レイヤプロテクション性能測定方法。
【請求項２】
請求項１において、
前記パケット送信間隔を見いだすステップは、
下位レイヤのプロテクション前後のパスについて、それぞれ送信間隔を変更しながら測定パケットを送信し、パケット損失の生じない最小のパケット間隔を見いだし、その大きい方の間隔を測定パケット送信間隔として採用する
ことを特徴とする下位レイヤプロテクション性能測定方法。
【請求項３】
請求項１または請求項２において、
前記測定パケットの受信状態の変化を測定するステップは、
送信側で測定パケットの中にシーケンス番号を埋め込み、
受信側で前記測定パケット中のシーケンス番号の連続性を管理することによりパケットの損失を測定する
ことを特徴とする下位レイヤプロテクション性能測定方法。
【請求項４】
請求項１から請求項３のいずれかにおいて、
前記測定パケットの受信状態の変化を測定するステップは、
送信側で測定パケットの中に送信時刻を埋め込み、
受信側で前記測定パケットを受信した時刻と前記測定パケット中の送信時刻との差を計算することによりパケットの遅延時間を測定する
ことを特徴とする下位レイヤプロテクション性能測定方法。
【請求項５】
下位レイヤによるプロテクション機能を有するＩＰネットワークに接続され、パケットの受信状態に基づいて前記ＩＰネットワークの下位レイヤでのプロテクション性能を測定する下位レイヤプロテクション性能測定用パケット送信装置であって、
測定パケットの送信間隔を設定する送信間隔設定部と、
前記送信間隔設定部により設定された送信間隔で測定パケットの作成を制御する測定パケット送信タイミング制御部と、
パケット送信順序を示すシーケンス番号とパケット送信時刻とが書き込まれた測定パケットを生成する測定パケット生成部と、
前記測定パケット生成部の生成した測定パケットを前記ＩＰネットワークに送信する測定パケット送信部と、
前記ＩＰネットワークにプロテクションを生じさせるトリガを生成し送信するプロテクショントリガ生成部と、
あらかじめ定められた測定シナリオに基づいて前記送信間隔設定部と前記測定パケット送信タイミング制御部と前記プロテクショントリガ生成部とを制御し、測定パケットの送信間隔決定およびプロテクション性能測定を行う測定シナリオ制御部と
を有することを特徴とする下位レイヤプロテクション性能測定用パケット送信装置。
【請求項６】
下位レイヤによるプロテクション機能を有するＩＰネットワークに接続され、パケットの受信状態に基づいて前記ＩＰネットワークの下位レイヤでのプロテクション性能を測定する下位レイヤプロテクション性能測定用パケット受信装置であって、
前記ＩＰネットワークを通して送られた測定パケットを受信する測定パケット受信部と、
受信した測定パケットの遅延時間を算出する損失パケット数計算部と、
受信した測定パケットの損失数を算出するパケット遅延時間計算部と、
測定パケットの遅延時間と損失数とを記録する測定結果蓄積部と、
この測定結果蓄積部に記録された測定パケットの遅延時間と損失数とを外部へ通知する測定結果通知部と
を有することを特徴とする下位レイヤプロテクション性能測定用パケット受信装置。
【請求項７】
下位レイヤによるプロテクション機能を有するＩＰネットワークに接続され、パケットの受信状態に基づいて前記ＩＰネットワークの下位レイヤでのプロテクション性能を測定する下位レイヤプロテクション性能測定装置であって、
パケット送信装置とパケット受信装置とからなり、
前記パケット送信装置は、
測定パケットの送信間隔を設定する送信間隔設定部と、
前記送信間隔設定部により設定された送信間隔で測定パケットの作成を制御する測定パケット送信タイミング制御部と、
パケット送信順序を示すシーケンス番号とパケット送信時刻とが書き込まれた測定パケットを生成する測定パケット生成部と、
前記測定パケット生成部の生成した測定パケットを前記ＩＰネットワークに送信する測定パケット送信部と、
前記ＩＰネットワークにプロテクションを生じさせるトリガを生成し送信するプロテクショントリガ生成部と、
あらかじめ定められた測定シナリオに基づいて前記送信間隔設定部と前記測定パケット送信タイミング制御部と前記プロテクショントリガ生成部とを制御し、測定パケットの送信間隔決定およびプロテクション性能測定を行う測定シナリオ制御部とを有し、
前記パケット受信装置は、
前記ＩＰネットワークを通して送られた前記測定パケットを受信する測定パケット受信部と、
受信した測定パケットの遅延時間を算出する損失パケット数計算部と、
受信した測定パケットの損失数を算出するパケット遅延時間計算部と、
測定パケットの遅延時間と損失数とを記録する測定結果蓄積部と、
この測定結果蓄積部に記録された測定パケットの遅延時間と損失数とを外部へ通知する測定結果通知部とを有する
ことを特徴とする下位レイヤプロテクション性能測定装置。
【請求項８】
下位レイヤによるプロテクション機能を有するＩＰネットワークに接続され、パケットの受信状態に基づいて前記ＩＰネットワークの下位レイヤでのプロテクション性能を測定する下位レイヤプロテクション性能測定用パケット送信装置としてコンピュータを機能させるプログラムであって、
前記コンピュータを
測定パケットの送信間隔を設定する送信間隔設定部と、
前記送信間隔設定部により設定された送信間隔で測定パケットの作成を制御する測定パケット送信タイミング制御部と、
パケット送信順序を示すシーケンス番号とパケット送信時刻とが書き込まれた測定パケットを生成する測定パケット生成部と、
前記測定パケット生成部の生成した測定パケットを前記ＩＰネットワークに送信する測定パケット送信部と、
前記ＩＰネットワークにプロテクションを生じさせるトリガを生成し送信するプロテクショントリガ生成部と、
あらかじめ定められた測定シナリオに基づいて前記送信間隔設定部と前記測定パケット送信タイミング制御部と前記プロテクショントリガ生成部とを制御し、測定パケットの送信間隔決定およびプロテクション性能測定を行う測定シナリオ制御部として機能させることを特徴とするプログラム。
【請求項９】
下位レイヤによるプロテクション機能を有するＩＰネットワークに接続され、パケットの受信状態に基づいて前記ＩＰネットワークの下位レイヤでのプロテクション性能を測定する下位レイヤプロテクション性能測定用パケット受信装置としてコンピュータを機能させるプログラムであって、
前記コンピュータを
前記ＩＰネットワークを通して送られた測定パケットを受信する測定パケット受信部と、
受信した測定パケットの遅延時間を算出する損失パケット数計算部と、
受信した測定パケットの損失数を算出するパケット遅延時間計算部と、
測定パケットの遅延時間と損失数とを記録する測定結果蓄積部と、
この測定結果蓄積部に記録された測定パケットの遅延時間と損失数とを外部へ通知する測定結果通知部として機能させることを特徴とするプログラム。
【発明の詳細な説明】
【０００１】
【発明の属する技術分野】
本発明は、下位レイヤによるプロテクション機能を有するＩＰネットワークを対象として、ユーザの感覚により近いＩＰレイヤにおける品質という観点から、下位レイヤでのプロテクション性能を測定する方法および装置に関する。
【０００２】
【従来の技術】
従来、下位レイヤによるプロテクション機能を有するＩＰネットワークでは、プロテクション性能を経路（パス）切換時における信号の瞬断時間で規定していた。例えば、ＷＤＭ（Ｗａｖｅｌｅｎｇｔｈ　Ｄｉｖｉｓｉｏｎ　Ｍｕｌｔｉｐｌｅｘｉｎｇ：光波長多重）を利用したネットワークに直接ＩＰ（Ｉｎｔｅｒｎｅｔ　Ｐｒｏｔｏｃｏｌ）を載せたネットワークシステムであるＩＰ　ｏｖｅｒ　ＷＤＭネットワークのような、信頼性向上のために光パスレイヤでのパスのプロテクション機能を有するＩＰネットワークでは、光パスレイヤでの光信号の瞬断時間をプロテクション性能と規定していた。このため、従来のプロテクション機能を有するＩＰネットワークのプロテクション性能測定装置は、ＩＰ　ｏｖｅｒ　ＷＤＭネットワークにおける光パスレイヤのような下位レイヤにおける信号の瞬断時間を測定するものであり、ＩＰ品質の観点からＩＰレイヤで規定したＩＰネットワークのプロテクション性能を測定する方法や測定装置は存在しなかった。ここで、下位レイヤはＯＳＩ参照モデルにおける下位層（第１層〜第４層）に対応し、ＩＰレイヤは上位層（第５層〜第７層）に対応する。
【０００３】
【発明が解決しようとする課題】
このように、従来はＩＰネットワークにおけるプロテクション性能として下位レイヤにおける信号の瞬断時間が用いられていた。しかしながら、エンドユーザはＩＰレイヤで通信を行うため、ユーザの感覚により近いＩＰレイヤにおける通信品質という観点から、ＩＰレイヤで規定した下位レイヤプロテクション性能を測定する方法や測定装置が求められていた。
本発明は、このような状況に鑑みなされたものであり、信頼性を向上するために下位レイヤによるプロテクション機能を有するＩＰネットワークにおいて、ＩＰレイヤで規定した下位レイヤプロテクション性能を測定する方法と測定装置を提供することを目的とする。
【０００４】
【課題を解決するための手段】
上述した課題を解決するために、本発明の下位レイヤプロテクション性能測定方法は、ＩＰネットワークにおけるパケット損失の生じない最小のパケット送信間隔を見いだすステップと、この送信間隔でＩＰネットワークに測定パケットを送信しつつ、下位レイヤでのプロテクションのトリガを与えることにより、当該ネットワークにプロテクションを生じさせ、このプロテクションの前後における測定パケットの受信状態の変化を測定するステップとを有することによって特徴づけられる。
【０００５】
この場合、パケット送信間隔を見いだすステップは、下位レイヤのプロテクション前後のパスについて、それぞれ送信間隔を変更しながら測定パケットを送信し、パケット損失の生じない最小のパケット間隔を見いだし、その大きい方の間隔を測定パケット送信間隔として採用する。測定パケットの受信状態の変化を測定するステップの一例は、送信側で測定パケットの中にシーケンス番号を埋め込み、受信側で測定パケット中のシーケンス番号の連続性を管理することによりパケットの損失を測定する。また、測定パケットの受信状態の変化を測定するステップの別の例は、送信側で測定パケットの中に送信時刻を埋め込み、受信側で測定パケットを受信した時刻と測定パケット中の送信時刻との差を計算することによりパケットの遅延時間を測定する。
【０００６】
すなわち、この発明の下位レイヤプロテクション性能測定方法は、下位レイヤプロテクション機能を有するＩＰネットワークの下位レイヤでのプロテクション性能の測定において、プロテクション開始から終了までの間に損失したパケット数や遅延時間の増加をＩＰ品質からみた下位レイヤでのプロテクション性能と規定し、このようなＩＰ品質の劣化（パケット損失、遅延時間増加等）を測定することにより、測定対象ＩＰネットワークの下位レイヤプロテクション性能を評価する。
【０００７】
本発明の下位レイヤプロテクション性能測定用パケット送信装置は、下位レイヤによるプロテクション機能を有するＩＰネットワークに接続され、パケットの受信状態に基づいてＩＰネットワークの下位レイヤでのプロテクション性能を測定する装置であって、測定パケットの送信間隔を設定する送信間隔設定部と、送信間隔設定部により設定された送信間隔で測定パケットの作成を制御する測定パケット送信タイミング制御部と、パケット送信順序を示すシーケンス番号とパケット送信時刻とが書き込まれた測定パケットを生成する測定パケット生成部と、測定パケット生成部の生成した測定パケットをＩＰネットワークに送信する測定パケット送信部と、ＩＰネットワークにプロテクションを生じさせるトリガを生成し送信するプロテクショントリガ生成部と、あらかじめ定められた測定シナリオに基づいて送信間隔設定部と測定パケット送信タイミング制御部とプロテクショントリガ生成部とを制御し、測定パケットの送信間隔決定およびプロテクション性能測定を行う測定シナリオ制御部とを有することによって特徴づけられる。
【０００８】
本発明の下位レイヤプロテクション性能測定用パケット受信装置は、下位レイヤによるプロテクション機能を有するＩＰネットワークに接続され、パケットの受信状態に基づいてＩＰネットワークの下位レイヤでのプロテクション性能を測定する下位レイヤプロテクション性能測定用パケット受信装置であって、ＩＰネットワークを通して送られた測定パケットを受信する測定パケット受信部と、受信した測定パケットの遅延時間を算出する損失パケット数計算部と、受信した測定パケットの損失数を算出するパケット遅延時間計算部と、測定パケットの遅延時間と損失数とを記録する測定結果蓄積部と、この測定結果蓄積部に記録された測定パケットの遅延時間と損失数とを外部へ通知する測定結果通知部とを有することによって特徴づけられる。
【０００９】
本発明の下位レイヤプロテクション性能測定装置は、下位レイヤによるプロテクション機能を有するＩＰネットワークに接続され、パケットの受信状態に基づいてＩＰネットワークの下位レイヤでのプロテクション性能を測定する下位レイヤプロテクション性能測定装置であって、パケット送信装置とパケット受信装置とからなり、パケット送信装置は、測定パケットの送信間隔を設定する送信間隔設定部と、送信間隔設定部により設定された送信間隔で測定パケットの作成を制御する測定パケット送信タイミング制御部と、パケット送信順序を示すシーケンス番号とパケット送信時刻とが書き込まれた測定パケットを生成する測定パケット生成部と、測定パケット生成部の生成した測定パケットを前記ＩＰネットワークに送信する測定パケット送信部と、ＩＰネットワークにプロテクションを生じさせるトリガを生成し送信するプロテクショントリガ生成部と、あらかじめ定められた測定シナリオに基づいて送信間隔設定部と測定パケット送信タイミング制御部とプロテクショントリガ生成部とを制御し、測定パケットの送信間隔決定およびプロテクション性能測定を行う測定シナリオ制御部とを有し、パケット受信装置は、ＩＰネットワークを通して送られた測定パケットを受信する測定パケット受信部と、受信した測定パケットの遅延時間を算出する損失パケット数計算部と、受信した測定パケットの損失数を算出するパケット遅延時間計算部と、測定パケットの遅延時間と損失数とを記録する測定結果蓄積部と、この測定結果蓄積部に記録された測定パケットの遅延時間と損失数とを外部へ通知する測定結果通知部とを有することによって特徴づけられる。
【００１０】
本発明のプログラムは、下位レイヤによるプロテクション機能を有するＩＰネットワークに接続され、パケットの受信状態に基づいて前記ＩＰネットワークの下位レイヤでのプロテクション性能を測定する下位レイヤプロテクション性能測定用パケット送信装置としてコンピュータを機能させるプログラムであって、コンピュータを測定パケットの送信間隔を設定する送信間隔設定部と、送信間隔設定部により設定された送信間隔で測定パケットの作成を制御する測定パケット送信タイミング制御部と、パケット送信順序を示すシーケンス番号とパケット送信時刻とが書き込まれた測定パケットを生成する測定パケット生成部と、測定パケット生成部の生成した測定パケットをＩＰネットワークに送信する測定パケット送信部と、ＩＰネットワークにプロテクションを生じさせるトリガを生成し送信するプロテクショントリガ生成部と、あらかじめ定められた測定シナリオに基づいて送信間隔設定部と測定パケット送信タイミング制御部とプロテクショントリガ生成部とを制御し、測定パケットの送信間隔決定およびプロテクション性能測定を行う測定シナリオ制御部として機能させることによって特徴づけられる。
【００１１】
また、本発明の別のプログラムは、下位レイヤによるプロテクション機能を有するＩＰネットワークに接続され、パケットの受信状態に基づいてＩＰネットワークの下位レイヤでのプロテクション性能を測定する下位レイヤプロテクション性能測定用パケット受信装置としてコンピュータを機能させるプログラムであって、コンピュータをＩＰネットワークを通して送られた測定パケットを受信する測定パケット受信部と、受信した測定パケットの遅延時間を算出する損失パケット数計算部と、受信した測定パケットの損失数を算出するパケット遅延時間計算部と、測定パケットの遅延時間と損失数とを記録する測定結果蓄積部と、この測定結果蓄積部に記録された測定パケットの遅延時間と損失数とを外部へ通知する測定結果通知部として機能させることによって特徴づけられる。
【００１２】
【発明の実施の形態】
以下に図を用いて発明の実施の形態を説明する。
ここでは、光パスレイヤでのプロテクション機能を有するＩＰ　ｏｖｅｒ　ＷＤＭネットワークを例に、下位レイヤによるプロテクション機能を有するＩＰネットワークのＩＰレイヤで規定した下位レイヤプロテクション性能を測定する方法について説明する。図１は、本実施の形態にかかる下位レイヤプロテクション性能測定方法を下位レイヤによるプロテクション機能を有するＩＰネットワークのプロテクション性能測定に適用した一構成例を示す概念図である。
【００１３】
図１において、測定対象のＩＰネットワークはＩＰ　ｏｖｅｒ　ＷＤＭネットワークであり、複数のＩＰルータ３１，３２と、複数の光ＡＤＭ（ｏｐｔｉｃａｌ　ａｄｄ／ｄｒｏｐ　ｍｕｌｔｉｐｌｅｘｅｒ）４１〜４３と、光ＡＤＭ間を接続する光ファイバケーブル５１〜５３と、ＩＰルータと光ＡＤＭとを接続する光ファイバケーブル５４，５４とを有する。このＩＰネットワークは、１つのＩＰルータ３１に下位レイヤプロテクション性能測定用パケット送信装置（以後、パケット送信装置と記す）１０が接続され、別のＩＰルータ３２に下位レイヤプロテクション性能測定用パケット受信装置（以後、パケット受信装置と記す）２０が接続されており、通常、パケット送信装置１０から送信された測定パケットは光パスＡ７１を介してパケット受信装置２０へ伝送されるが、光パスＡ７１に障害が発生すると光レイヤプロテクション機能により測定パケットを迂回路である光パスＢ７２を介してパケット受信装置２０へ伝送する。
【００１４】
ここで、パケット送信装置１０とパケット受信装置２０は通信線６０で相互通信可能に接続され、下位レイヤプロテクション性能測定装置を構成している。また、このＩＰネットワークには、プロテクション性能測定用に、光パスＡ７１の伝送路となる光ファイバケーブル５１にプロテクション動作をさせるトリガーとなる光信号遮断器６１が挿入されている。この光信号遮断器６１はパケット送信装置１０と通信線６２で接続されており、パケット送信装置１０の送信するプロテクショントリガ信号を受信すると光パスＡ７１を通過する光信号を所定時間遮断する。
【００１５】
次に、測定対象のＩＰネットワークを測定パケットが伝送される過程について説明する。パケット送信装置１０が送信した電気信号からなる測定パケットはＩＰルータ３１により受信され、光信号に変換された後、ＩＰルータ３１と接続された光ＡＤＭ４１に送信される。光ＡＤＭ４１に送信された光信号は光ＡＤＭ４１により光ファイバ網に挿入され、光パスＡ７１を通過してＩＰルータ３２と接続された光ＡＤＭ４２に伝送され、光ＡＤＭ４２によって光ファイバ網から取り出されてＩＰルータ３２に送られる。ＩＰルータ３２に送られた光信号はＩＰルータ３２により電気信号に変換された後、パケット受信装置２０に送信される。
【００１６】
このような状況において、光信号遮断器６１が作動し光パスＡ７１を通過する光信号が遮断されると、このＩＰネットワークは光レイヤプロテクション機能により光ＡＤＭ４１と光ＡＤＭ４２の間を結ぶ伝送路を迂回路である光パスＢ７２に切り替える。これにより、光ＡＤＭ４１に送信された光信号は、光ＡＤＭ４１により光ファイバ網に挿入されると、光パスＢ７２を通過してＩＰルータ３２と接続された光ＡＤＭ４２に伝送される。
【００１７】
このようなプロテクション時に生じるＩＰパケットの品質劣化を図２に示す。プロテクション機能が動作すると、パケット送信装置１０から一定の間隔で送信されたパケット列のうち、プロテクション開始から終了までの間に測定対象のＩＰネットワークを通過したパケットが損失したり、遅延時間が増加したりする。本実施の形態の下位レイヤプロテクション性能測定方法は、これらパケットの損失や遅延時間の増加といったパケットの受信状態の変化を測定することにより、測定対象のＩＰネットワークにおけるＩＰレイヤで規定した下位レイヤプロテクション性能を測定する。
【００１８】
次に、図１と図３を参照して本実施の形態の下位レイヤプロテクション性能測定方法における測定手順を説明する。図３は、本実施の形態にかかる下位レイヤプロテクション性能測定方法の測定手順を示す説明図である。この下位レイヤプロテクション性能測定方法は、プロテクション性能測定に当たり、測定パケット送信間隔決定フェーズ、プロテクション性能測定フェーズの順に処理を行う。
【００１９】
測定パケット送信間隔決定フェーズは、プロテクション性能測定フェーズで測定対象ＩＰネットワークに送信する測定パケットの送信間隔を決定するフェーズである。測定パケット送信間隔決定フェーズでは、最初にパケット送信装置１０からプロテクション動作前の経路である光パスＡ７１を介してパケット受信装置２０へ所定数の測定パケットを送信し、パケット受信装置２０が測定パケットの損失の有無を測定する。
【００２０】
所定数の測定パケット送信後、パケット送信装置１０からパケット受信装置２０に測定結果問い合わせを送信すると、パケット受信装置２０からパケット送信装置１０に測定結果通知を送信する。さらに、パケット送信装置１０による測定パケット送信間隔の短縮とパケット受信装置２０による測定パケット損失の有無の測定を繰り返すことにより、プロテクション動作前の経路（光パスＡ７１）における測定パケット損失の生じない最小の測定パケット送信間隔を求める。
【００２１】
次に、パケット送信装置１０から光パスＡ７１に挿入された光信号遮断器６１にプロテクショントリガを送信し、測定対象ＩＰネットワークの光パスの経路をプロテクション動作後の経路である光パスＢ７２に切り替える。経路変更後、パケット送信装置１０からプロテクション動作後の経路である光パスＢ７２を介してパケット受信装置２０へ所定数の測定パケットを送信し、パケット受信装置２０が測定パケットの損失の有無を測定する。
【００２２】
所定数の測定パケット送信後、パケット送信装置１０からパケット受信装置２０に測定結果問い合わせを送信すると、パケット受信装置２０からパケット送信装置１０に測定結果通知を送信する。さらに、パケット送信装置１０による測定パケット送信間隔の短縮とパケット受信装置２０による測定パケット損失の有無の測定を繰り返すことにより、プロテクション動作後の経路（光パスＢ７２）における測定パケット損失の生じない最小の測定パケット送信間隔を求める。
【００２３】
次に、プロテクション動作前の経路（光パスＡ７１）における測定パケット損失の生じない最小の測定パケット送信間隔と、プロテクション動作後の経路（光パスＢ７２）における測定パケット損失の生じない最小の測定パケット送信間隔とを比較し、いずれか間隔の大きい方の測定パケット送信間隔をプロテクション性能測定フェーズで測定対象ＩＰネットワークに送信する測定パケットの送信間隔として決定し、測定パケット送信間隔決定フェーズを終了する。
【００２４】
プロテクション性能測定フェーズは、測定パケット送信中に測定対象ＩＰネットワークにプロテクションを生じさせ、測定パケットの受信状態の変化を測定するフェーズである。プロテクション性能測定フェーズでは、測定パケット送信間隔決定フェーズで求めた測定パケット送信間隔でパケット送信装置１０からプロテクション動作前の経路である光パスＡ７１を介してパケット受信装置２０へ所定数の測定パケットを送信するとともに、この測定パケットを送信している間にパケット送信装置１０から光パスＡ７１に挿入された光信号遮断器６１にプロテクショントリガを送信し、測定対象ＩＰネットワークの光パスの経路をプロテクション動作後の経路である光パスＢ７２に切り替える。
【００２５】
測定対象ＩＰネットワークの光パスの経路切換後も測定パケットの送信数が所定数となるまでパケット送信装置１０からパケット受信装置２０への測定パケットの送信は続けられ、パケット受信装置２０は測定パケットの損失数と遅延時間とを測定する。測定パケットの送信終了後、パケット送信装置１０からパケット受信装置２０に測定結果問い合わせを送信すると、パケット受信装置２０からパケット送信装置１０に測定結果通知を送信する。パケット送信装置１０が測定結果通知を受信し、測定結果通知に含まれる測定パケットの損失数と遅延時間とを測定結果として表示し、プロテクション性能測定フェーズを終了する。
【００２６】
次に、この実施の形態に用いる下位レイヤプロテクション性能測定装置について説明する。図４は、この実施の形態にかかる下位レイヤプロテクション性能測定装置の機能構成を示す機能ブロック図である。このプロテクション性能測定装置は、パケット送信装置１０とパケット受信装置２０とからなり、それぞれ測定対象ネットワークにＩＰルータ（図示せず）を介して接続される。以下、パケット送信装置１０とパケット受信装置２０について、詳細に説明する。
【００２７】
［パケット送信装置］
パケット送信装置１０は、測定シナリオ制御部１１、測定パケット送信間隔設定部１２、測定パケット送信タイミング制御部１３、測定パケット生成部１４、カウンタ１５、タイマ１６、測定パケット送信部１７、プロテクショントリガ生成部１８および表示部１９を有する。
【００２８】
測定シナリオ制御部１１は、所定の測定シナリオに基づきパケット送信装置１０とパケット受信装置２０の測定シナリオに関連する各部を制御する機能を有する。この場合、測定シナリオには、測定対象のＩＰネットワークに送信可能な最小の測定パケット間隔を見いだすための測定パケット送信間隔決定フェーズを実行するものと、パケット送信装置１０から測定対象のＩＰネットワークを介してパケット受信装置２０に測定パケットを送信しつつ、測定対象のＩＰネットワークにプロテクション動作をさせるプロテクショントリガを送信し、パケット受信装置２０が測定した測定パケットの受信状態の変化に基づいてこのＩＰネットワークのＩＰ品質からみた下位レイヤでのプロテクション性能測定を行うためのプロテクション性能測定フェーズを実行するものとがある。
【００２９】
測定パケット送信間隔設定部１２は、測定パケットの送信間隔を設定する機能を有する。この場合、測定パケット送信間隔設定部１２は、測定パケット送信間隔決定フェーズとプロテクション性能測定フェーズとで異なる動作を行う。測定パケット送信間隔決定フェーズでは、測定シナリオ制御部１１から最初に送信する測定パケットの送信間隔の設定を依頼されると、十分広いパケット間隔を設定し、測定シナリオ制御部１１に回答する。さらに、測定シナリオ制御部１１から次に送信する測定パケットの送信間隔の設定を依頼されると、先に設定した測定パケット送信間隔を１単位時間だけ間隔を狭めたパケット間隔を設定し、測定シナリオ制御部１１に回答する。以後、測定パケット送信間隔決定フェーズが終了するまでこの動作を繰り返す。測定パケット送信間隔決定フェーズでは、測定シナリオ制御部１１からの依頼を受け、指定された時間間隔で測定パケットの送信間隔を設定する。
【００３０】
測定パケット送信タイミング制御部１３は、設定された送信間隔で測定パケット生成部１４に測定パケットの作成を依頼する機能を有する。この場合、測定パケット送信タイミング制御部１３は、所定回数となるまで測定シナリオ制御部１１から設定された送信間隔で測定パケット生成部１４へ測定パケットの作成依頼を行う。
【００３１】
測定パケット生成部１４は、シーケンス番号とパケット送信時刻とをデータとして含む測定パケットを生成する機能を有する。この場合、測定パケット生成部１４は、測定パケット送信タイミング制御部１３からパケット送信を依頼される度に、カウンタ１５からパケット送信順序を示すシーケンス番号を読み出すとともに、タイマ１６から現在時刻を読み出してパケット送信時刻とし、それぞれパケット内に書き込んだ後、測定パケット送信部１７にパケットを送って送信を依頼する。
【００３２】
カウンタ１５は、パケット送信ごとに増加あるいは減少する連続した番号を生成する機能を有する。この場合、カウンタ１５はパケット送信ごとに増加するシーケンス番号を生成する。タイマ１６は現在日時を出力する時計機能を有する。測定パケット送信部１７は、パケットを測定対象のＩＰネットワークを通してパケット受信装置２０に送信する機能を有する。この場合、測定パケット送信部１７は、測定パケット生成部１４から送られたパケットを順に測定対象のＩＰネットワークを通してパケット受信装置２０に向けて送信する。
【００３３】
プロテクショントリガ生成部１８は、測定対象のＩＰネットワークにプロテクションを生じさせるトリガ信号を生成し、外部出力する機能を有する。この場合、プロテクショントリガ生成部１８は、測定シナリオ制御部１１からの依頼により、測定対象のＩＰネットワークに挿入された光信号遮断器６１を作動させる信号を生成し、通信線６２を介して光信号遮断器６１に送信する。表示部１９は、測定結果を表示する機能を有する。この場合、表示部１９は、測定シナリオ制御部１１から入力されるプロテクション性能の測定結果を表示する。
【００３４】
次に、パケット送信装置１０の動作を説明する。パケット送信装置１０は、測定パケット送信間隔決定フェーズとプロテクション性能測定フェーズとを有し、測定シナリオ制御部１１により測定パケット送信間隔決定フェーズおよびプロテクション性能測定フェーズの動作とフェーズ切替が制御される。まず、図４と図５を参照し、測定パケット送信間隔決定フェーズの動作について説明する。図５は、本実施の形態にかかるプロテクション性能測定装置のパケット送信装置１０における測定パケット送信間隔決定フェーズの動作を示すフローチャートである。
【００３５】
［測定パケット送信間隔決定フェーズ］
測定パケット送信間隔決定フェーズにおいて、パケット送信装置１０は、最初に測定パケット送信間隔設定を行う（ステップＳ０１）。この場合、測定シナリオ制御部１１が測定パケット送信間隔設定部１２に対し、最初に送信する測定パケットの送信間隔の設定を依頼する。測定パケット送信間隔設定部１２は、最初の依頼を受けるとあらかじめ定められた十分広いパケット間隔を設定し、測定シナリオ制御部１１に回答する。測定シナリオ制御部１１は、測定パケット送信間隔設定部１２からの戻り値を測定パケット送信間隔とし、測定パケット送信タイミング制御部１３にその間隔でのパケット送信を依頼する。
【００３６】
測定パケット送信間隔設定後、パケット送信装置１０は測定パケットを生成し（ステップＳ０２）、生成した測定パケットを送信する（ステップＳ０３）。この場合、パケット送信を依頼された測定パケット送信タイミング制御部１３が設定された送信間隔で測定パケット生成部１４に測定パケットの作成を依頼する。測定パケット生成部１４は、カウンタ１５からパケット送信順序を示すシーケンス番号を読み出すとともに、タイマ１６から現在時刻を読み出してパケット送信時刻とし、それぞれをパケット内に書き込んだ後、測定パケット送信部１７にパケットを送って送信を依頼する。測定パケット送信部１７は、測定パケット生成部１４から受け取ったパケットを順に測定対象のＩＰネットワークを通してパケット受信装置２０に向けて送信する。
【００３７】
測定パケットの送信終了後、パケット送信装置１０はパケット受信装置２０に測定結果を問い合わせ（ステップＳ０４）、設定した測定パケット送信間隔が測定対象のＩＰネットワークにおけるパケット損失の生じない最小間隔に収束したか否かを判定する（ステップＳ０５）。ステップＳ０５において、測定パケット送信間隔が未収束の場合は、収束するまでステップＳ０１からステップＳ０５を繰り返す。この場合、所定数のパケットの送信が終了した後、測定シナリオ制御部１１がパケット受信装置２０の測定結果通知部２７に測定結果を問い合わせ、損失パケット数と遅延時間の測定結果を取得する。
【００３８】
ここで、測定シナリオ制御部１１はパケット損失なしのときに未収束と判定し、設定された測定パケット送信間隔測定を保持しておき、パケット送信間隔設定部１２に次に送信する測定パケットの送信間隔の設定を依頼する。測定パケット送信間隔設定部１２は、１単位時間だけ間隔を狭めるよう次の測定パケット送信間隔を設定し、測定シナリオ制御部１１にその値を回答する。測定シナリオ制御部１１は、その戻り値を新たな測定パケット送信間隔として、測定パケット送信タイミング制御部１３に再度測定を依頼する。これをパケット損失が生じるか、測定パケット送信間隔が送信可能な最小の時間間隔になるまで繰り返す。繰り返しの過程でパケット損失が生じた場合、測定シナリオ制御部１１は測定パケット送信間隔の設定が収束したと判定し、保持しておいた一つ前の測定パケット送信間隔を切替前の経路の測定パケット送信間隔として保持する。また、測定パケット送信間隔が送信可能な最小の時間間隔となった場合も収束したと判定し、送信可能な最小の時間間隔を切替前の経路の測定パケット送信間隔として保持する。
【００３９】
測定パケット送信間隔が収束した後、パケット送信装置１０は光パスを切替後の経路に切り替えるため、プロダクショントリガ送信を行う（ステップＳ０６）。この場合、測定シナリオ制御部１１はプロテクショントリガ生成部１８にプロテクションのトリガを与えるよう指示し、プロテクショントリガ生成部１８はこの指示に基づいて光信号遮断器６１にプロテクショントリガを送信する。プロダクショントリガ送信後、切替後の経路において送信可能な最小の測定パケット間隔を見いだすため、ステップＳ０１からステップＳ０５と同様の処理を行う（ステップＳ０７〜Ｓ１１）。
【００４０】
切替後の経路において測定パケット送信間隔が収束した後、パケット送信装置１０は切替前と切替後の光パスにおける送信可能な最小のパケット送信間隔を比較し、大きい方の値をプロテクション性能測定フェーズで用いるパケット送信間隔として決定し（ステップＳ１２）、測定パケット送信間隔決定フェーズを終了する。この場合、測定シナリオ制御部１１は、それぞれ保持しておいた切替前の経路の測定パケット送信間隔と切替後の経路の測定パケット送信間隔と比較し、大きい方の値をプロテクション性能測定フェーズで用いる測定パケット送信間隔の設定値として保持しておき、測定パケット送信間隔決定フェーズからプロテクション性能測定フェーズに処理を移行させる。
【００４１】
［プロテクション性能測定フェーズ］
次に、図４と図６を参照し、パケット送信装置１０のプロテクション性能測定フェーズの動作について説明する。図６は、本実施の形態にかかるプロテクション性能測定装置のパケット送信装置１０におけるプロテクション性能測定フェーズの動作を示すフローチャートである。プロテクション性能測定フェーズにおいて、パケット送信装置１０は、最初に測定パケット送信間隔設定を行う（ステップＳ２１）。この場合、測定シナリオ制御部１１が測定パケット送信間隔設定部１２に対し、測定パケット送信間隔決定フェーズで得た測定パケット送信間隔の設定値を測定パケット送信間隔として設定依頼するとともに、測定パケット送信タイミング制御部１３にその間隔でのパケット送信を依頼する。
【００４２】
測定パケット送信間隔設定後、パケット送信装置１０は測定パケットを生成し（ステップＳ２２）、測定パケット送信を開始する（ステップＳ２３）。この場合、パケット送信を依頼された測定パケット送信タイミング制御部１３が設定された送信間隔で測定パケット生成部１４に測定パケットの作成を依頼する。測定パケット生成部１４は、カウンタ１５からパケット送信順序を示すシーケンス番号を読み出すとともに、タイマ１６から現在時刻を読み出してパケット送信時刻とし、それぞれをパケット内に書き込んだ後、測定パケット送信部１７にパケットを送って送信を依頼する。測定パケット送信部１７は、測定パケット生成部１４から受け取ったパケットを順に測定対象のＩＰネットワークを通してパケット受信装置２０に向けて送信する。
【００４３】
測定パケット送信開始後、パケット送信装置１０は測定パケットの送信を行っている間に光パスを切替後の経路に切り替えるため、プロダクショントリガ送信を行う（ステップＳ２４）。この場合、測定シナリオ制御部１１は、測定パケット送信タイミング制御部１３が設定された送信間隔で測定パケット生成部１４に測定パケットの作成依頼を行っている間にプロテクショントリガ生成部１８へプロテクションのトリガを与えるよう指示する。プロテクショントリガ生成部１８は、この指示に基づいて光信号遮断器６１にプロテクショントリガを送信する。
【００４４】
パケット送信装置１０は、プロダクショントリガ送信後も測定パケットの送信を続け、所定数の送信が終了した後に測定パケット送信を停止する（ステップＳ２５）。測定パケット送信停止後、パケット送信装置１０はパケット受信装置２０に測定結果を問い合わせ（ステップＳ２６）、パケット受信装置２０から送信された測定結果を表示し（ステップＳ２７）、プロテクション性能測定フェーズを終了する。この場合、測定シナリオ制御部は、測定パケット送信部１７が所定数の測定パケット送信を完了すると、パケット受信装置２０の測定結果通知部２７に測定結果を問い合わせ、損失パケット数と遅延時間の測定結果を取得する。測定シナリオ制御部１１は、取得した損失パケット数と遅延時間を表示部１９に入力し、表示部が損失パケット数と遅延時間をＩＰ品質からみた測定対象のＩＰネットワークの下位レイヤプロテクション性能として表示する。
【００４５】
次に、パケット送信装置１０の実現手段について説明する。パケット送信装置１０は、ネットワーク接続可能なコンピュータと、このコンピュータを前述した測定シナリオ制御部１１、測定パケット送信間隔設定部１２、測定パケット送信タイミング制御部１３、測定パケット生成部１４、カウンタ１５、タイマ１６、測定パケット送信部１７、プロテクショントリガ生成部１８および表示部１９として機能させるためのコンピュータプログラムとが協働することにより実現することができる。この場合、前記コンピュータプログラムは、コンピュータの外部記憶装置に格納されており、コンピュータの起動によりコンピュータの主記憶装置に読み込まれ、コンピュータの演算処理装置により実行されることによりパケット送信装置１０として機能する。
【００４６】
［パケット受信装置］
パケット受信装置２０は、測定パケット受信部２１、パケット遅延時間計算部２２、損失パケット数計算部２３、タイマ２４、測定結果蓄積部２５、カウンタ２６および測定結果通知部２７を有する。測定パケット受信部２１は、パケット送信装置１０から測定対象のＩＰネットワークを介して送信された測定パケットを受信する機能を有する。この場合、測定パケット受信部２１は受信した測定パケットから送信時刻とシーケンス番号とを取り出した後、送信時刻をパケット遅延時間計算部２２へ入力しシーケンス番号を損失パケット数計算部２３へ入力する。
【００４７】
パケット遅延時間計算部２２は、測定対象のＩＰネットワークを介して受信した測定パケットの遅延時間を算出する機能を有する。この場合、パケット遅延時間計算部２２は、測定パケット受信部２１が受信した測定パケットから取り出した送信時刻を入力されると、タイマ２４から現在時刻を取得し、パケット受信時刻としてパケット中の送信時刻との差を計算し、計算結果を測定結果蓄積部２５に記録する。ここで、タイマ２４は現在日時を出力する時計機能を有する。
【００４８】
損失パケット数計算部２３は、測定対象のＩＰネットワークを介して受信した測定パケットの損失数を算出する機能を有する。この場合、損失パケット数計算部２３は、直前に受信したパケットのシーケンス番号をカウンタ２６に記録しており、測定パケット受信部２１から入力されたパケット中のシーケンス番号とカウンタ２６に記録された直前に受信したパケットのシーケンス番号の差を計算し、その差が２以上であれば、パケット損失が生じたものとし、その数を損失パケット数として測定結果蓄積部２５に記録する。また、計算後、測定パケット受信部２１から入力されたパケット中のシーケンス番号を直前に受信したパケットのシーケンス番号としてカウンタ２６に記録する。
【００４９】
測定結果蓄積部２５とカウンタ２６は、共に記録装置として機能する。この場合、測定結果蓄積部２５にはパケット遅延時間計算部２２の算出した測定パケットの遅延時間と、損失パケット数計算部２３の算出した測定パケットの損失数とが記録され、カウンタ２６には直前に受信したパケットのシーケンス番号が記録される。測定結果通知部２７は、測定結果蓄積部２５に記録された測定結果をパケット送信装置１０へ送信する機能を有する。この場合、測定結果通知部２７は、パケット送信装置１０の測定シナリオ制御部１１から測定結果の問い合わせを受け、測定結果蓄積部２５から測定パケットの遅延時間と測定パケット損失数とを読み出し、パケット送信装置１０の測定シナリオ制御部１１に送信する。
【００５０】
次に、図４と図７を参照し、パケット受信装置２０の動作を説明する。パケット受信装置２０は、測定パケット送信間隔決定フェーズとプロテクション性能測定フェーズのいずれにおいても同じ動作を行う。図７は、パケット受信装置２０の動作を示すフローチャートである。パケット受信装置２０は、測定パケットを受信すると（ステップＳ３１）、パケット遅延時間計算（ステップＳ３２）と損失パケット数計算（ステップＳ３３）を行い、それぞれの計算結果を測定結果として蓄積する（ステップＳ３４）。
【００５１】
この場合、パケット受信装置２０は測定パケット受信部２１が測定パケットを受信し、受信した測定パケットから送信時刻とシーケンス番号とを取り出し、送信時刻をパケット遅延時間計算部２２へ入力し、シーケンス番号を損失パケット数計算部２３へ入力する。送信時刻を入力されたパケット遅延時間計算部２２はパケット受信時刻をタイマ２４から取得し、送信時刻との差を計算し、その差を遅延時間として測定結果蓄積部２５に記録する。シーケンス番号を入力された損失パケット数計算部２３は、カウンタ２６から直前に受信したパケットのシーケンス番号を読み出し、入力されたシーケンス番号との差を計算する。その差が２以上であれば、損失パケット数計算部２３はパケット損失が生じたものとし、その数を損失パケット数として測定結果蓄積部２５に記録する。また、損失パケット数計算部２３は、計算後、測定パケット受信部２１から入力されたシーケンス番号を直前に受信したパケットのシーケンス番号としてカウンタ２６に記録する。
【００５２】
以後、パケット受信装置２０はパケット送信装置１０から測定結果の問い合わせを受信するまで、測定パケットを受信するごとにステップＳ３１〜ステップＳ３４の処理を実行する。パケット送信装置１０から測定結果の問い合わせを受信すると（ステップＳ３５−ＹＥＳ）、パケット受信装置２０は蓄積した測定結果を取り出し（ステップＳ３６）、パケット送信装置１０に測定結果を通知し（ステップＳ３７）、処理を終了する。この場合、パケット受信装置２０は、測定結果通知部２７がパケット送信装置１０の測定シナリオ制御部１１からの測定結果問い合わせを受信し、測定結果蓄積部２５に記録された遅延時間と損失パケット数とを読み出し、パケット送信装置１０の測定シナリオ制御部１１へ送信する。
【００５３】
次に、パケット受信装置２０の実現手段について説明する。パケット受信装置２０は、ネットワーク接続可能なコンピュータと、このコンピュータを前述した測定パケット受信部２１、パケット遅延時間計算部２２、損失パケット数計算部２３、タイマ２４、測定結果蓄積部２５、カウンタ２６および測定結果通知部２７として機能させるためのコンピュータプログラムとが協働することにより実現することができる。この場合、前記コンピュータプログラムは、コンピュータの外部記憶装置に格納されており、コンピュータの起動によりコンピュータの主記憶装置に読み込まれ、コンピュータの演算処理装置により実行されることによりパケット受信装置２０として機能する。
【００５４】
本実施の形態によれば、光パスレイヤでパスのプロテクション機能を有するＩＰ　ｏｖｅｒ　ＷＤＭネットワークにおいて、プロテクションによる測定パケットの損失数と遅延時間増加とを測定するので、ユーザの感覚により近いＩＰレイヤにおける通信品質という観点から、光パスレイヤでのプロテクション性能を測定することができる。また、プロテクション性能測定に当たり、あらかじめ測定対象ＩＰネットワークにおいてパケット損失しない最小のパケット送信間隔を見いだす測定パケット送信間隔決定フェーズを設け、測定パケット送信間隔決定フェーズ終了後に見いだしたパケット送信間隔でプロテクション性能を測定するプロテクション性能測定フェーズを行うので、高精度の性能測定が可能になった。
【００５５】
本実施の形態では、パケット送信装置１０のシナリオ制御部１１と、パケット受信装置２０の測定結果通知部２７との間を通信線６０で接続し、測定結果問い合わせと測定結果通知の通信を行ったが、パケット送信装置１０のシナリオ制御部１１と、パケット受信装置２０の測定結果通知部２７との通信を測定対象のＩＰネットワークを介して行うようにしてもよい。また、パケット送信装置１０が電気信号からなる測定パケットをＩＰルータ３１へ出力し、パケット受信装置２０がＩＰルータ３２により電気信号に変換された測定パケットを受信する例について説明したが、パケット送信装置１０とパケット受信装置２０とが送受信する測定パケットは、電気信号に限られるものではなく、測定対象ＩＰネットワークの接続先となるＩＰルータの入出力信号に対応した信号形式とすることが可能である。例えば、測定対象ＩＰネットワークのＩＰルータの入出力信号が光信号であれば、パケット送信装置１０の測定パケット送信部１７が光信号からなる測定パケットを送信し、パケット受信装置２０の測定パケット受信部２１が光信号からなる測定パケットを受信するようにすればよい。
【００５６】
【発明の効果】
以上説明したように、本発明の下位レイヤプロテクション性能測定方法は、このＩＰネットワークにおけるパケット損失の生じない最小のパケット送信間隔を見いだすステップと、この送信間隔でＩＰネットワークに測定パケットを送信しつつ、下位レイヤでのプロテクションのトリガを与えることにより、当該ネットワークにプロテクションを生じさせ、このプロテクションの前後における測定パケットの受信状態の変化を測定するステップとを有するので、下位レイヤによるプロテクション機能を有するＩＰネットワークを対象として、ＩＰレイヤで規定した下位レイヤプロテクション性能の測定が可能となる。また、プロテクション性能測定の前に、あらかじめＩＰネットワークにおけるパケット損失の生じない最小のパケット送信間隔を見いだすステップを設け、このパケット送信間隔で測定パケットを送信しプロテクション性能測定を行うことにより、高精度のプロテクション性能測定が可能となる。
【００５７】
また、パケット送信間隔を見いだすステップは、下位レイヤのプロテクション前後のパスについて、それぞれ送信間隔を変更しながら測定パケットを送信し、パケット損失の生じない最小のパケット間隔を見いだし、その大きい方の間隔を測定パケット送信間隔として採用するので、プロテクションによるパケット損失のみを抽出できるので、より高精度のプロテクション性能測定が可能となった。また、測定パケットの受信状態の変化を測定するステップは、送信側で測定パケットの中にシーケンス番号を埋め込み、受信側で測定パケット中のシーケンス番号の連続性を管理することによりパケットの損失を測定するので、プロテクションによるパケット損失数を容易に求めることができる。また、測定パケットの受信状態の変化を測定するステップは、送信側で測定パケットの中に送信時刻を埋め込み、受信側で測定パケットを受信した時刻と測定パケット中の送信時刻との差を計算することによりパケットの遅延時間を測定するので、プロテクションによるパケット遅延時間の増加を容易に求めることができる。
【００５８】
本発明の下位レイヤプロテクション性能測定用パケット送信装置は、測定パケットの送信間隔を設定する送信間隔設定部と、送信間隔設定部により設定された送信間隔で測定パケットの作成を制御する測定パケット送信タイミング制御部と、パケット送信順序を示すシーケンス番号とパケット送信時刻とが書き込まれた測定パケットを生成する測定パケット生成部と、測定パケット生成部の生成した測定パケットをＩＰネットワークに送信する測定パケット送信部と、ＩＰネットワークにプロテクションを生じさせるトリガを生成し送信するプロテクショントリガ生成部と、あらかじめ定められた測定シナリオに基づいて送信間隔設定部と測定パケット送信タイミング制御部とプロテクショントリガ生成部とを制御し、測定パケットの送信間隔決定およびプロテクション性能測定を行う測定シナリオ制御部とを有するので、下位レイヤによるプロテクション機能を有するＩＰネットワークに接続され、パケットの受信状態に基づいてＩＰネットワークの下位レイヤでのプロテクション性能を測定する下位レイヤプロテクション性能測定用パケット受信装置と組み合わせて下位レイヤによるプロテクション機能を有するＩＰネットワークのＩＰレイヤで規定した下位レイヤプロテクション性能を測定することができる。
【００５９】
本発明の下位レイヤプロテクション性能測定用パケット受信装置は、ＩＰネットワークを通して送られた測定パケットを受信する測定パケット受信部と、受信した測定パケットの遅延時間を算出する損失パケット数計算部と、受信した測定パケットの損失数を算出するパケット遅延時間計算部と、測定パケットの遅延時間と損失数とを記録する測定結果蓄積部と、この測定結果蓄積部に記録された測定パケットの遅延時間と損失数とを外部へ通知する測定結果通知部とを有するので、下位レイヤプロテクション性能測定用パケット送信装置と組み合わせて下位レイヤによるプロテクション機能を有するＩＰネットワークのＩＰレイヤで規定した下位レイヤプロテクション性能を測定することができる。
【００６０】
本発明の下位レイヤプロテクション性能測定装置は、測定パケットの送信間隔を設定する送信間隔設定部と、送信間隔設定部により設定された送信間隔で測定パケットの作成を制御する測定パケット送信タイミング制御部と、パケット送信順序を示すシーケンス番号とパケット送信時刻とが書き込まれた測定パケットを生成する測定パケット生成部と、測定パケット生成部の生成した測定パケットを前記ＩＰネットワークに送信する測定パケット送信部と、ＩＰネットワークにプロテクションを生じさせるトリガを生成し送信するプロテクショントリガ生成部と、あらかじめ定められた測定シナリオに基づいて送信間隔設定部と測定パケット送信タイミング制御部とプロテクショントリガ生成部とを制御し、測定パケットの送信間隔決定およびプロテクション性能測定を行う測定シナリオ制御部とを有するパケット送信装置と、ＩＰネットワークを通して送られた測定パケットを受信する測定パケット受信部と、受信した測定パケットの遅延時間を算出する損失パケット数計算部と、受信した測定パケットの損失数を算出するパケット遅延時間計算部と、測定パケットの遅延時間と損失数とを記録する測定結果蓄積部と、この測定結果蓄積部に記録された測定パケットの遅延時間と損失数とを外部へ通知する測定結果通知部とを有するパケット受信装置とから構成したので、下位レイヤによるプロテクション機能を有するＩＰネットワークのＩＰレイヤで規定した下位レイヤプロテクション性能を測定することができる。
【００６１】
本発明のプログラムは、コンピュータを測定パケットの送信間隔を設定する送信間隔設定部と、送信間隔設定部により設定された送信間隔で測定パケットの作成を制御する測定パケット送信タイミング制御部と、パケット送信順序を示すシーケンス番号とパケット送信時刻とが書き込まれた測定パケットを生成する測定パケット生成部と、測定パケット生成部の生成した測定パケットをＩＰネットワークに送信する測定パケット送信部と、ＩＰネットワークにプロテクションを生じさせるトリガを生成し送信するプロテクショントリガ生成部と、あらかじめ定められた測定シナリオに基づいて送信間隔設定部と測定パケット送信タイミング制御部とプロテクショントリガ生成部とを制御し、測定パケットの送信間隔決定およびプロテクション性能測定を行う測定シナリオ制御部として機能させるので、一般使用されているコンピュータを下位レイヤプロテクション性能測定用パケット送信装置として用いることができ、下位レイヤによるプロテクション機能を有するＩＰネットワークのＩＰレイヤで規定した下位レイヤプロテクション性能を安価に測定することができる。
【００６２】
また、本発明の別のプログラムは、コンピュータをＩＰネットワークを通して送られた測定パケットを受信する測定パケット受信部と、受信した測定パケットの遅延時間を算出する損失パケット数計算部と、受信した測定パケットの損失数を算出するパケット遅延時間計算部と、測定パケットの遅延時間と損失数とを記録する測定結果蓄積部と、この測定結果蓄積部に記録された測定パケットの遅延時間と損失数とを外部へ通知する測定結果通知部として機能させるので、一般使用されているコンピュータを下位レイヤプロテクション性能測定用パケット受信装置として用いることができ、下位レイヤによるプロテクション機能を有するＩＰネットワークのＩＰレイヤで規定した下位レイヤプロテクション性能を安価に測定することができる。
【図面の簡単な説明】
【図１】実施の形態にかかる下位レイヤプロテクション性能測定方法を下位レイヤによるプロテクション機能を有するＩＰネットワークのプロテクション性能測定に適用した一構成例を示す概念図である。
【図２】プロテクション時のＩＰパケットの品質劣化を示す説明図である。
【図３】実施の形態にかかる下位レイヤプロテクション性能測定方法の測定手順を示す説明図である。
【図４】実施の形態にかかる下位レイヤプロテクション性能測定装置の機能構成を示す機能ブロック図である。
【図５】実施の形態にかかるプロテクション性能測定装置のパケット送信装置における測定パケット送信間隔決定フェーズの動作を示すフローチャートである。
【図６】実施の形態にかかるプロテクション性能測定装置のパケット送信装置におけるプロテクション性能測定フェーズの動作を示すフローチャートである。
【図７】実施の形態にかかるプロテクション性能測定装置のパケット受信装置の動作を示すフローチャートである。
【符号の説明】
１０…下位レイヤプロテクション性能測定用パケット送信装置（パケット送信装置）、１１…測定シナリオ制御部、１２…測定パケット送信間隔設定部、１３…測定パケット送信タイミング制御部、１４…測定パケット生成部、１５，２６…カウンタ、１６，２４…タイマ、１７…測定パケット送信部、１８…プロテクショントリガ生成部、１９…表示部、２０…下位レイヤプロテクション性能測定用パケット受信装置（パケット受信装置）、２１…測定パケット受信部、２２…パケット遅延時間計算部、２３…損失パケット数計算部、２５…測定結果蓄積部、２７…測定結果通知部、３１，３２…ＩＰルータ、４１〜４３…光ＡＤＭ、５１〜５５…光ファイバケーブル、６０，６２…通信線、６１…光信号遮断器、７１…光パスＡ、７２…光パスＢ。
【図１】
2004064643.tif 000003
【図２】
2004064643.tif 000004
【図３】
2004064643.tif 000005
【図４】
2004064643.tif 000006
【図５】
2004064643.tif 000007
【図６】
2004064643.tif 000008
【図７】
2004064643.tif 000009